(57)【要約】【課題】カード型媒体を容易に着脱でき、且つカード型媒体を確実に保持できるようにする。【解決手段】ＣＦカード６が挿入されるカード挿入口５と、カード挿入口５の奥に設けられ、当該カード挿入口５から挿入されたＣＦカード６を収納する収納部７と、収納部７へのＣＦカード６の挿入が完了すると、ＣＦカード６の後端を押さえ付けて当該ＣＦカード６を保持するカード保持部１４を有し、カード保持部１４は、カード挿入口５の一部を形成していて、カード挿入口１４を広げる方向に変形可能な弾性体でなり、カード挿入口５を広げる方向に力がくわえられると、カード挿入口５を広げると共に、ＣＦカード６の押さえ付けを解除してＣＦカード６が着脱可能となるように変形するようにした。【選択図】図３
2014059740.tif 000002
【特許請求の範囲】
【請求項１】
カード型媒体が当該カード型媒体の一端側から挿入されるカード挿入口と、
上記カード挿入口の後方に設けられ、当該カード挿入口から挿入された上記カード型媒体を収納する収納部と、
上記収納部への上記カード型媒体の挿入が完了すると、当該カード型媒体の他端側を押さえ付けて当該カード型媒体を保持するカード保持部と
を有し、
上記カード保持部は、
上記カード挿入口の一部を形成すると共に、当該カード挿入口を広げる方向に変形可能な弾性体でなり、上記カード挿入口を広げる方向に力がくわえられると、上記カード挿入口を広げると共に、上記カード型媒体の押さえ付けを解除して上記カード型媒体が着脱可能となるように変形する
カード型媒体保持装置。
【請求項２】
上記カード挿入口より上側の部分が、当該カード挿入口から前方斜め上に傾斜する上側傾斜面となっていて、上記カード挿入口より下側の部分が、当該カード挿入口から前方斜め下に傾斜する下側傾斜面となっている
請求項１に記載のカード型媒体保持装置。
【請求項３】
上記上側傾斜面及び上記下側傾斜面には、
上記カード型媒体をつまむ２本の指のそれぞれが収まる程度の窪みが形成されている
請求項２に記載のカード型媒体保持装置。
【請求項４】
上記カード保持部は、上記カード挿入口の下側に設けられ、
上記収納部の底面となる前後方向に延在する基部と、当該基部の前端に設けられ、上記下側傾斜面を形成する爪部とでなり、当該爪部の上端が上記カード挿入口の下部を形成する
請求項３に記載のカード側媒体保持装置。
【請求項５】
上記カード保持部は、
上記基部の後端が装置内部に固定されていて、上記爪部を下方に押し下げる方向に力がくわえられると、当該基部が曲がって上記爪部が下方に押し下がることにより、上記カード挿入口を広げると共に、上記カード型媒体の押さえ付けを解除する
請求項４に記載のカード型媒体保持装置。
【請求項６】
上記カード型媒体を上記カード挿入口に挿入しようとして当該カード型媒体を押し込む力が上記カード保持部にくわわることで、当該カード保持部の上記爪部に対して下方に押し下げる方向に力がくわわり、
上記カード型媒体を上記カード挿入口から抜き取ろうとして当該カード型媒体を指でつまもうとする力が上記カード保持部にくわわることで、当該カード保持部の上記爪部に対して下方に押し下げる方向に力がくわわる
請求項５に記載のカード型媒体保持装置。
【請求項７】
上記カード保持部は、
上記爪部の上端面の左端及び右端に上方に凸する凸部が形成されていて、上記収納部への上記カード型媒体の挿入が完了すると、当該凸部が、上記カード型媒体の他端側に当接して押さえ付けることで当該カード型媒体を保持する
請求項６に記載のカード型媒体保持装置。
【請求項８】
上記カード型媒体が上記収納部内に収納されているときでも、上記カード型媒体の他端側の上記凸部に当接していない部分が露出する
請求項７に記載のカード型媒体保持装置。
【請求項９】
上記カード保持部は、
上記爪部の上端部分が、上記基部の上面より上方に突出していて、上記収納部への上記カード型媒体の挿入が完了すると、当該上端部分が、上記カード型媒体の他端側に当接して押さえ付けることで当該カード型媒体を保持する
請求項５に記載のカード型媒体保持装置。
【請求項１０】
上記爪部が一定以上下方に押し下がらないようにするストッパをさらに有する
請求項５に記載のカード型媒体保持装置。
【請求項１１】
上記カード挿入口を覆う閉状態から上記カード挿入口を露出させる開状態へ、又は当該閉状態から開状態へと開閉自在な開閉扉をさらに有する
請求項９に記載のカード型媒体保持装置。
【請求項１２】
上記カード保持部を第１のカード保持部とし、
上記開閉扉に、
上記閉状態のときに、上記カード型媒体の他端側に当接して押さえ付けることで当該カード型媒体を保持する第２のカード保持部が設けられている
請求項１０に記載のカード型媒体保持装置。
【請求項１３】
上記ストッパを第１のストッパとし、
上記開閉扉に、
上記閉状態のときに、上記爪部が下方に押し下がらないように固定する第２のストッパが設けられている
請求項１１に記載のカード型媒体保持装置。
【請求項１４】
上記カード保持部の基部は、前後方向に曲線状に延在する
請求項４に記載のカード型媒体保持装置。
【発明の詳細な説明】
【技術分野】
【０００１】
本発明は、カード型媒体保持装置に関し、例えば、カード挿入口から挿入されたカード型媒体を保持し、当該カード型媒体に対してデータの読み書きを行うリーダ／ライタ装置に適用して好適なものである。
【背景技術】
【０００２】
近年、メモリカードなどのカード型媒体に対してデータの読み書きを行うリーダ／ライタ装置が広く普及している。このようなリーダ／ライタ装置の多くは、カード挿入口の奥にコネクタが設けられ、メモリカードをカード挿入口の奥まで差し込むことで、メモリカードがコネクタに接続されるようになっている（例えば、特許文献１参照）。
【０００３】
このようなリーダ／ライタ装置の具体例として、例えば、メモリカードに映像データを記憶するビデオレコーダがある。
【０００４】
図２０に示すように、ビデオレコーダ４００は、本体部４０１の背面に、ビデオカメラ（図示せず）と接続される接続部４０２が設けられ、また本体部４０１の前面に、コンパクトフラッシュ（登録商標）カード（以下、ＣＦカードと呼ぶ）などのメモリカード４０３を挿入するカード挿入口４０４が左右に２個並べて設けられている。
【０００５】
これらカード挿入口４０４のそれぞれの奥には、図２１に示すように、コネクタ４０５が設けられている。
【０００６】
コネクタ４０５は、本体部４０１の内部に設けられた基板４０６上に固定され、基板４０６に設けられた各種回路（図示せず）と電気的に接続されている。
【０００７】
さらに本体部４０１の前面には、２個のカード挿入口４０４を覆う閉状態から、２個のカード挿入口４０４を露出させる開状態へ、またはその逆へと開閉自在な開閉扉４０７が設けられている。
【０００８】
このような構成でなるビデオレコーダ４００にメモリカード４０３を挿入する場合、まず、開閉扉４０７を開けてカード挿入口４０４を露出させ、次に、左右のカード挿入口４０４のそれぞれにメモリカード４０３を挿入して奥まで差し込み、最後に、開閉扉４０７を閉じる。
【０００９】
このようにして２枚のメモリカード４０３が挿入された後、ビデオレコーダ４００は出荷される。
【００１０】
そしてこのビデオレコーダ４００は、接続部４０２を介してビデオカメラと接続され、このビデオカメラから送られてくる映像データをメモリカード４０３に書き込んで保存する。
【先行技術文献】
【特許文献】
【００１１】
【特許文献１】特開２００５−５６１６９公報
【発明の概要】
【発明が解決しようとする課題】
【００１２】
ところで、上述のビデオレコーダ４００のような従来のリーダ／ライタ装置では、コネクタの嵌合力を大きくすることで、挿入されたメモリカードをコネクタで保持するようになっている。
【００１３】
しかしながら、このようにコネクタの嵌合力を大きくすると、メモリカードをコネクタに挿入するときの抵抗力が大きく、挿入しずらくなってしまう。
【００１４】
くわえて、この場合、メモリカードを挿入するときに、メモリカードがコネクタの奥まで挿入されたかどうか、すなわちメモリカードの挿入が完了したかどうか分かりづらく、コネクタハーフ状態（メモリカードが中途半端にコネクタに挿入された状態）を見落とすなどして組立不良を誘発してしまうことがあった。
【００１５】
さらに、従来のリーダ／ライタ装置は、コネクタによりメモリカードが保持されているだけなので、例えば、リーダ／ライタ装置を搬送するときに大きな衝撃がくわわれば、メモリカードがコネクタから外れてコネクタハーフ状態となってしまうこともあった。
【００１６】
ここで、メモリカードをコネクタに挿入した後、メモリカードを固定具で本体部に固定するなどしてメモリカードがコネクタから外れないように保持することも考えられるが、この場合、メモリカードの着脱時に、固定具も取り外さなければならず、メモリカードの着脱が面倒となってしまう。
【００１７】
本発明は以上の点を考慮したもので、カード型媒体を容易に着脱でき、且つカード型媒体を確実に保持し得るカード型媒体保持装置を提案しようとするものである。
【課題を解決するための手段】
【００１８】
かかる課題を解決するため本発明においては、カード型媒体が当該カード型媒体の一端側から挿入されるカード挿入口と、カード挿入口の後方に設けられ、当該カード挿入口から挿入されたカード型媒体を収納する収納部と、収納部へのカード型媒体の挿入が完了すると、当該カード型媒体の他端側を押さえ付けて当該カード型媒体を保持するカード保持部とを有し、カード保持部は、カード挿入口の一部を形成すると共に、当該カード挿入口を広げる方向に変形可能な弾性体でなり、カード挿入口を広げる方向に力がくわえられると、カード挿入口を広げると共に、カード型媒体の押さえ付けを解除してカード型媒体が着脱可能となるように変形するようにした。
【００１９】
これにより、ユーザがカード型媒体を挿入する場合、カード型媒体をカード挿入口に押し込んでいくと、その力によりカード保持部が変形して挿入口が広がることでカード型媒体を挿入でき、その後、カード型媒体の挿入が完了して、押し込んでいる力がなくなると、カード保持部が元の形状に戻ることでカード型媒体の他端側が押さえ付けられて保持される。
【００２０】
また、ユーザがカード型媒体を抜き取る場合、カード型媒体をつまもうとして指をカード挿入口に押し込んでいくと、その力によりカード保持部が変形して挿入口が広がることでカード型媒体の押さえ付けが解除され、押し込んだ指でそのままカード型媒体をつまんで抜き取ることができる。
【発明の効果】
【００２１】
本発明によれば、カード型媒体の挿入及び抜き取りを容易に行うことができ、且つ確実にカード型媒体を保持し得るカード型媒体保持装置を実現できる。
【図面の簡単な説明】
【００２２】
【図１】本実施の形態におけるビデオレコーダの外観構成を示す略線図である。
【図２】ビデオレコーダの内部構成（Ａ−Ａ断面、カード未挿入時）を示す略線図である。
【図３】ビデオレコーダの内部構成（Ａ−Ａ断面、カード挿入時）を示す略線図である。
【図４】化粧カバーの構成（カード未挿入時）を示す略線図である。
【図５】化粧カバーの構成（カード挿入時）を示す略線図である。
【図６】ＣＦカードの挿入（１）の説明にともなう略線図である。
【図７】ＣＦカードの挿入（２）の説明にともなう略線図である。
【図８】ＣＦカードの抜き取り（１）の説明にともなう略線図である。
【図９】ＣＦカードの抜き取り（２）の説明にともなう略線図である。
【図１０】他の実施の形態における基部の形状（１）を示す略線図である。
【図１１】他の実施の形態における基部の形状（２）を示す略線図である。
【図１２】他の実施の形態における爪部の形状を示す略線図である。
【図１３】他の実施の形態におけるビデオレコーダの構成（１）を示す略線図である。
【図１４】他の実施の形態におけるビデオレコーダの構成（２）を示す略線図である。
【図１５】他の実施の形態におけるビデオレコーダの構成（３）を示す略線図である。
【図１６】他の実施の形態におけるビデオレコーダの構成（４）を示す略線図である。
【図１７】他の実施の形態におけるビデオレコーダの構成（５）を示す略線図である。
【図１８】他の実施の形態におけるビデオレコーダの構成（６）を示す略線図である。
【図１９】他の実施の形態におけるビデオレコーダの構成（７）を示す略線図である。
【図２０】従来のビデオレコーダの外観構成を示す略線図である。
【図２１】従来のビデオレコーダの内部構成（Ａ´−Ａ´断面）を示す略線図である。
【発明を実施するための形態】
【００２３】
以下、発明を実施するための形態について、図面を用いて詳細に説明する。
【００２４】
［１．ビデオレコーダの構成］
図１に外観を示すように、本実施の形態のビデオレコーダ１は、箱型の筐体でなる本体部２を中心に構成され、本体部２の背面には、外部機器と接続するための接続部３が設けられ、本体部２の前面には、弾性素材を用いた成形品でなる化粧カバー４が取り付けられている。
【００２５】
化粧カバー４には、前面の所定位置に、２個のカード挿入口５が左右に並べて設けられている。さらに２個のカード挿入口５のそれぞれの奥（すなわち後方）には、図２に示すように、カード挿入口５から挿入されるＣＦカード６を収納する収納部７が設けられ、この収納部７の一番奥に、コネクタ８が設けられている。
【００２６】
コネクタ８は、本体部２の内部に本体部２の下面と平行に設けられた基板９上に固定され、基板９に設けられた各種回路（図示せず）と電気的に接続されている。
【００２７】
さらに化粧カバー４の前面には、２個のカード挿入口５を覆う閉状態から、カード挿入口５を露出させる開状態へ、またはその逆へと開閉自在な断面Ｌ字型の開閉扉１０が設けられている。
【００２８】
この開閉扉１０は、Ｌ字の角となる部分が、化粧カバー４の前面下端に設けられたシャフト１１（図２）に回転自在に取り付けられていることで、この部分を軸に開閉できるようになっている。
【００２９】
このビデオレコーダ１に２枚のＣＦカード６を挿入する場合、まず、開閉扉１０を開けて２個のカード挿入口５を露出させ、２個のカード挿入口５のそれぞれにＣＦカード６を挿入して奥まで押し込む。
【００３０】
尚、ＣＦカード６は、その一端側に、コネクタ８と接続するための端子が設けられていて、ＣＦカード６をカード挿入口５に挿入する場合、端子が設けられた一端側（ここではこれを先端側とする）を、カード挿入口５に対向させた状態で挿入する。
【００３１】
このようにＣＦカード６を挿入して押し込んでいくと、ＣＦカード６が収納部７に収納されると共に、ＣＦカード６の先端側がコネクタ８に挿入されることで、ＣＦカード６の端子がコネクタ８と接続される。これにより、ビデオレコーダ１へのＣＦカード６の挿入が完了する。
【００３２】
その後、このビデオレコーダ１は、接続部３を介してビデオカメラ（図示せず）と接続され、このビデオカメラから送られてくる映像データをＣＦカード６に書き込んで保存する。
【００３３】
尚、ビデオレコーダ１は、例えば、１枚目のＣＦカード６が満杯になったら２枚目のＣＦカード６に映像データを書き込むようになっている。
【００３４】
またこのビデオレコーダ１は、ＣＦカード６に書き込んだ映像データを読み出して、接続部３を介して接続されている外部機器に転送できるようにもなっている。
【００３５】
このようにビデオレコーダ１は、２枚のＣＦカード６を挿入でき、これらにビデオカメラからの映像データを保存したり、保存した映像データをこれらから読み出して外部に転送できるようになっている。
【００３６】
そして実際、このビデオレコーダ１は、現金自動預払機（ＡＴＭ）の防犯システムに組み込まれたり、商業施設の遠隔監視システムに組み込まれたりして利用されるようになっている。
【００３７】
［２．化粧カバーの構成］
次に、化粧カバー４について、さらに詳細に説明する。化粧カバー４は、図２及び図３にその断面を示すように、上部１２と、下部１３と、これらの間に位置するカード保持部１４と、左右の側面部１５とでなり、これらが一体に成形されている。
【００３８】
カード保持部１４は、左右に２個設けられていて、これら左右２個のカード保持部１４と上部１２との間には隙間が設けられている。この隙間が、２個のカード挿入口５として機能するようになっていて、詳しくは後述するが、この隙間に、ＣＦカード６を挿入するようになっている。
【００３９】
尚、２個のカード挿入口５は、同形状のため、ここでは上部１２、下部１３、カード保持部１４について、一方のカード挿入口５に対応する部分についてのみ説明することとする。
【００４０】
まず化粧カバー４の上部１２から説明する。上部１２は、本体部２の上面と平行で上面の前端から前方に延在する薄板状の上部上端部１２ａと、上部上端部１２ａの前端から後方斜め下に傾斜する薄板状の上部傾斜部１２ｂと、上部上端部１２ａと平行で、上部傾斜部１２ｂの下端から化粧カバー４の後端まで延在する薄板状の上部下端部１２ｃとを有している。
【００４１】
これら上部上端部１２ａ、上部傾斜部１２ｂ、上部下端部１２ｃは、それぞれ左右の側面部１５に固定されている。
【００４２】
上部傾斜部１２ｂは、下端が、コネクタ８に挿入されたときのＣＦカード６の後端のほぼ真上となるように形成されている。
【００４３】
またこの上部傾斜部１２ｂには、図２及び図３にくわえて図４及び図５にも示すように、その前面に、平均的な人の指の指先が入る程度の窪み１６が形成されている。この窪み１６は、上部傾斜部１２ｂの中央から下端にかけて形成されていて、詳しくは後述するが、例えば、ＣＦカード６を人差し指と親指でつまんでカード挿入口５に挿入するときに、上側の人差し指の指先が収まるようにその形状及び大きさが選定されている。
【００４４】
上部下端部１２ｃは、その奥に位置する基板９と平行で、且つ基板９よりもＣＦカード６の厚み分高い位置に設けられている。
【００４５】
上部１２はこのような構成でなり、上部傾斜部１２ｂの下端が、カード挿入口５の上側を形成する部分となっている。
【００４６】
次に、カード保持部１４について説明する。カード保持部１４は、図２及び図３にその断面を示すように、上部下端部１２ｃと平行で化粧カバー４の後端から上部傾斜部１２ｂの下端のほぼ真下まで直線状に延在する薄板状の基部１４ａと、基部１４ａの先端に設けられた断面ノ字型薄板状の爪部１４ｂとを有している。
【００４７】
基部１４ａは、上面が、その奥に位置する基板９の上面と平行で、且つ同じ高さとなるように形成されている。つまり、この基部１４ａは、その上方に位置する上部下端部１２ｃとの間に、ＣＦカード６の厚み分の隙間を空けて設けられている。
【００４８】
またこの基部１４ａは、先端が、コネクタ８に完全に挿入されたときのＣＦカード６の後端のほぼ真下となるように、形成されている。
【００４９】
爪部１４ｂは、上端から下端に架けて前方斜め下に傾斜していて、図２及び図３にくわえて図４及び図５にも示すように、その前面に平均的な人の指（例えば親指）の指先が入る程度の窪み１７が形成されている。この窪み１７は、爪部１４ｂの上端から中央にかけて形成されていて、詳しくは後述するが、例えば、ＣＦカード６を人差し指と親指でつまんでカード挿入口５に挿入するときに、下側の親指の指先が収まるようにその形状及び大きさが選定されている。
【００５０】
さらに図４及び図５に示すように、爪部１４ｂの上面（これを爪部上面とも呼ぶ）１８には、左右両端に、上方に凸する四角柱形状の凸部１９が形成されている。この凸部１９は、その上面（これを凸部上面とも呼ぶ）が、後ろ側の縁より前側の縁が下方となるように傾斜している。
【００５１】
この爪部１４ｂは、爪部上面１８が、基部１４ａの上面と同じ高さとなっていて、さらに凸部１９の上方への突出量がＣＦカード６の厚みより若干小さい量となっている。
【００５２】
すなわち、爪部１４ｂの爪部上面１８と、上部傾斜部１１ｂの下端との間の隙間は、ＣＦカード６の厚さとほぼ等しく、凸部１９と、上部傾斜部１１ｂの下端との間の隙間は、ＣＦカード６の厚さより狭くなっている。
【００５３】
またこの爪部１４ｂは、図３及び図５に示すように、凸部１９の後面（これを凸部後面とも呼ぶ）が、収納部７内に収納されコネクタ８と接続されたときのＣＦカード６の後端に当接して押さえ付けるようになっている。
【００５４】
さらに爪部１４ｂの下端には、左右両端に、下方に凸する突起部２０が設けられている。この突起部２０については、後述する。
【００５５】
このような爪部１４ｂの爪部上面１８及び凸部１９が、カード挿入口５の下側を形成する部分となっている。つまり、爪部上面１８及び凸部１９と、上部傾斜部１１ｃの下端との間に形成される隙間が、カード挿入口５となる。
【００５６】
さらにカード保持部１４は、基部１４ａの根元部分のみが化粧カバー４の側面部１５に固定され、全体が弾性素材で成形されていることで、爪部１４ｂを下方に押し下げる方向に力がくわえられると、基部１４ａが変形して爪部１４ｂを下方に押し下げることができるようになっている。
【００５７】
詳しくは図６乃至図９を用いて後述するが、このようにして爪部１４ｂが下方に押し下げられると、爪部１４ｂと上部傾斜部１２ｂとの間に形成される隙間、すなわちカード挿入口５が拡がる。
【００５８】
そしてこの力がなくなると、カード保持部１４は、基部１４ａが元の形状に戻ることで、爪部１４ｂが元の位置に戻り、カード挿入口５が元の大きさに戻るようになっている。
【００５９】
実際、カード挿入口５は、カード保持部１４の爪部１４ｂに力がくわえられていないときには、爪部１４ｂの凸部１９と、上部傾斜部１２ｂの下端との隙間が、ＣＦカード６の厚さより狭くなっていることにより、そのままではＣＦカード６を挿入することはできない。
【００６０】
つまり、ビデオレコーダ１では、カード保持部１４の爪部１４ｂを下方に押し下げて、カード挿入口５を広げることで、カード挿入口５にＣＦカード６を挿入できるようになっている。
【００６１】
そして、カード挿入口５にＣＦカード６を挿入して差し込んでいくと、ＣＦカード６は、上部１２の上部下端部１２ｃと、カード保持部１４の基部１４ａとの間を、これらに沿って進んでいくことで、基板９上のコネクタ８に挿入される。
【００６２】
つまり、上部下端部１２ｃと基部１４ａは、ＣＦカード６をコネクタ８へと案内する上下方向のガイドとして機能する。尚、これら上部下端部１２ｃ及び基部１４ａと、コネクタ８及び基板９とが、上述の収納部７の一部を形成するようにもなっている。
【００６３】
その後、ＣＦカード６がコネクタ８の奥まで挿入されることでＣＦカード６の挿入が完了し、さらに爪部１４ｂを下方に押し下げる力がなくなると、爪部１４ｂが元の位置に戻る。
【００６４】
このとき、爪部１４ｂの凸部１９と、上部傾斜部１２ｂの下端との隙間が、ＣＦカード６の厚さより狭くなると共に、凸部１９の爪部後面がＣＦカード６の後端に接して押さえ付けることで、ＣＦカード６がコネクタ８から抜けないよう固定され、その状態が保持される。
【００６５】
カード保持部１４はこのような構成となっている。尚、以降の説明では、カード保持部１４について、力がくわえられていない通常の状態を通常状態と呼び、力がくわえられて変形した状態を変形状態と呼ぶことにする。
【００６６】
次に、下部１３について説明する。下部１３は、図２及び図３に示すように、本体部２の下面と平行で下面の前端から、通常状態のカード保持部１４の爪部１４ｂの下端の下方まで延在する薄板状の下部下端部１３ａと、下部下端部１３ａの前端から上方に延在する薄板状の下部前面部１３ｂとを有している。
【００６７】
ここで、下部前面部１３ｂには、図４及び図５に示すように、通常状態の爪部１４ｂの左右両端及び下端を囲うようにしてコの字型の切り欠き２１が形成されている。
【００６８】
この切り欠き２１は、左右両側面部２１ａと底面部２１ｂとで形成され、通常状態の爪部１４ｂに対して、所定の間隔を空けるようにして形成されている。
【００６９】
カード保持部１４は、上述したように、爪部１４ｂを下方に押し下げる方向に力がくわわると、爪部１４ｂが下方に押し下げられるが、このとき、爪部１４ｂの下端に設けられた突起部２０が、切り欠き２１の底面部２１ｂに当接することで、それ以上、爪部１４ｂが押し下げられないようになっている。
【００７０】
すなわち、切り欠き２１の底面部２１ｂは、爪部１４ｂを下方に押し下げるときのストッパとして機能する。
【００７１】
尚、切り欠き２１の底面部２１ｂは、少なくとも、カード挿入口５を、ＣＦカードが挿入できる大きさまで広げることのできるように、通常状態の爪部１４ｂとの間隔が選定されている。
【００７２】
また切り欠き２１の左右両側面部２１ａは、その間隔が、ＣＦカード６の幅より若干広くなっていて、爪部１４ｂの凸部１９に対向する部分が、カード挿入口５の左右両端を形成する部分となっている。
【００７３】
さらにこの左右両側面部２１ａは、化粧カバー４の後端まで延在していて、カード挿入口５に挿入されたＣＦカード６をコネクタ８へと案内する左右方向のガイドとして機能する。尚、この左右両側面部２１ａが、上述の収納部７の一部を形成するようにもなっている。
【００７４】
さらに左右両側面部２１ａは、爪部１４ｂの凸部１９に対向する部分、すなわち、カード挿入口５の左右両端を形成する部分が、前方に向かって末広がりの形状をなしている。
【００７５】
下部１３は、このような構成となっている。
【００７６】
［３．ＣＦカードの挿入及び抜き取り手順と効果］
ここで、実際に、ビデオレコーダ１にＣＦカード６を挿入する手順と、挿入されているＣＦカード６を抜き取る手順について、詳しく説明する。
【００７７】
まず、ＣＦカード６を挿入する手順から説明する。ＣＦカード６をビデオレコーダ１に挿入する場合、ユーザは、まずＣＦカード６の端子が設けられた先端側とは反対側の後端側を例えば人差し指と親指で厚さ方向につまんで持つ。
【００７８】
次に、ユーザは、このようにしてつまんだＣＦカード６を、その先端側からカード挿入口５に挿入しようとする。
【００７９】
ここで、ビデオレコーダ１の化粧カバー４は、カード挿入口５の上下及び左右が外側に向かって末広がりの形状をなしていることで、ユーザが厳密にカード挿入口５にＣＦカード６の先端側を位置合わせするようなことなく、容易にＣＦカード６をカード挿入口５に挿入していくことができる。
【００８０】
実際、ＣＦカード６の先端側を、カード挿入口５に挿入しようとすると、図６に示すように、まずＣＦカード６の先端側が、カード保持部１４の爪部１４ｂの凸部上面に当接する。
【００８１】
さらにこのまま、ユーザが、ＣＦカード６をカード挿入口５に挿入しようとして押し込むと、この力が、傾斜している凸部上面にくわえられることにより、カード保持部１４に対して爪部１４ｂを下方に押し下げる力がくわわる。
【００８２】
この結果、爪部１４ｂが下方に押し下げられてカード挿入口５が拡がり、カード挿入口５がＣＦカード６の厚さより拡がった時点で、ＣＦカード６が、その先端側からカード挿入口５へと挿入されていく。
【００８３】
尚、上述のように、爪部１４ｂの凸部上面が傾斜していることで、ＣＦカード６を挿入するときに、ＣＦカード６の先端側が引っ掛かってしまうようなことなくスムーズに爪部１４ｂを押し下げて挿入できる。
【００８４】
そして図７に示すようにユーザがさらにこのＣＦカード６を押し込んでいくと、最終的に、ＣＦカード６のほぼ全体が収納部７内に収まり、その先端側がコネクタ８の奥まで挿入されて、ＣＦカード６の端子がコネクタ８に接続される。これにより、ＣＦカード６の挿入が完了する。
【００８５】
ここで、ビデオレコーダ１の化粧カバー４には、カード挿入口５の上下に、つまんだ指先が収まる程度の窪み１６及び１７が形成されていることにより、ユーザはＣＦカード６をつまんだままの状態で、容易にＣＦカード６を奥まで挿入できる。
【００８６】
その後、ユーザが、ＣＦカード６から指を離すと、爪部１４ｂにくわわる力がなくなることにより、爪部１４ｂが元の位置に戻る。
【００８７】
このようにして爪部１４ｂが元の位置に戻ると、カード挿入口５が元の大きさに戻ると共に、爪部１４ｂの凸部１９の凸部後面が、ＣＦカード６の後端に当接してＣＦカード６を押さえ付けることで、ＣＦカード６の挿入が完了した状態で保持される（図３に示す状態）。
【００８８】
このように、ビデオレコーダ１は、ＣＦカード６の挿入が完了した状態で、ＣＦカード６を固定して保持できるようになっている。
【００８９】
これにより、例えば、ビデオレコーダ１の搬送時に、コネクタ８からＣＦカード６が外れてコネクタハーフ状態となってしまうことをより確実に防止できる。
【００９０】
また、ビデオレコーダ１では、ＣＦカード６をコネクタ８と爪部１４ｂの凸部１９との間に挟んで保持するようにしたことで、コネクタ８のみでＣＦカード６を保持する場合と比して、コネクタ８の嵌合力を小さくしても十分ＣＦカード６を保持できる。
【００９１】
これにより、ＣＦカード６をコネクタ８に挿入するときの抵抗力をコネクタ８のみで保持する場合と比して小さくでき、ＣＦカード６を容易にコネクタ８の奥まで挿入できる。
【００９２】
さらに、ビデオレコーダ１では、ＣＦカード６の挿入が完了すると、カード保持部１４が元の状態に戻るので、このカード保持部１４が元の状態に戻ったかどうかで、ＣＦカード６の挿入が完了したかどうかをユーザが容易に判別できる。
【００９３】
さらに、ＣＦカード６は、カード保持部１４に保持されている状態でも、後端の一部分がカード挿入口５から露出することになるので、この一部分を確認することでビデオレコーダ１にＣＦカード６が挿入されているかどうかをユーザが容易に判別できる。
【００９４】
そのうえ、このビデオレコーダ１は、ユーザがＣＦカード６をつまんでカード挿入口５に挿入していくだけの簡易且つ自然な操作で、ＣＦカード６の挿入から挿入されたＣＦカード６の保持までを行うことができる。
【００９５】
すなわち、このビデオレコーダ１は、従来のような、ＣＦカード６の挿入と、ＣＦカード６を保持するための固定具の取り付けとの２段階の操作を必要とせず、簡易な操作でありながら、ＣＦカード６をより確実に保持できる。
【００９６】
次に、ＣＦカード６を抜き取る手順について説明する。ＣＦカード６をビデオレコーダ１から抜き取る場合、ユーザは、図８に示すように、まずビデオレコーダ１に装着されているＣＦカード６の後端側を厚さ方向につまもうとする。
【００９７】
このとき、ユーザは、ＣＦカード６が挿入されているカード挿入口５の上下に位置する窪み１６及び１７に、例えば人差し指と親指を押し当てながら、これら２本の指でＣＦカード６をつまもうとする。
【００９８】
するとこのとき、ユーザの親指によって、カード保持部１４には、自然に爪部１４ｂを下方に押し下げる力がくわわる。
【００９９】
この結果、爪部１４ｂが下方に押し下げられてカード挿入口５が広がり、カード挿入口５がＣＦカード６の厚さより拡がった時点で、ＣＦカード６の固定保持が解除され、ＣＦカード６をつまめる状態となる。
【０１００】
その後、ユーザは、図９に示すように、ＣＦカード６の後端側を指でつまんでＣＦカード６を引き出すことで、ＣＦカード６をビデオレコーダ１から抜き取る。
【０１０１】
このようにビデオレコーダ１は、ユーザがカード挿入口５の上下に位置する窪み１６及び１７に指を押し当てながらＣＦカード６をつまんで引き出すだけの簡易且つ自然な操作で、ＣＦカード６の固定を解除して抜き取ることができる。
【０１０２】
すなわち、このビデオレコーダ１は、従来のような、ＣＦカード６を保持するための固定具の取り外しと、ＣＦカード６の抜き取りとの２段階の操作を必要とせず、簡易な操作でありながら、保持されているＣＦカード６を容易に抜き取ることができる。
【０１０３】
またこのビデオレコーダ１では、カード挿入口５の上下に、ＣＦカード６をつまもうとする指が収まる窪み１６及び１７が形成されていることで、ユーザに対して、どこに指を入れてＣＦカード６をつまめばよいのかを容易に認識させることができる。
【０１０４】
またこの窪み１６及び１７により、図５に示すように、挿入されているＣＦカード６の上面の一部分がカード挿入口５から露出することになるので、ＣＦカード６を抜き取るときに、ＣＦカード６の後端部がつまみ易くなっている。
【０１０５】
ここまで説明したように、ビデオレコーダ１は、ＣＦカード６の挿入及び抜き取りを簡易且つ自然な操作で行うことができると共に、ＣＦカード６のより確実に奥まで挿入させて保持できる。
【０１０６】
［４．他の実施の形態］
［４−１．他の実施の形態１］
尚、上述した実施の形態では、カード保持部１４の基部１４ａを、化粧カバー４の後端から前方へと直線状に延びる形状とした。
【０１０７】
これに限らず、基部１４ａの形状を、化粧カバー４の後端から前方へと曲線状に延びる形状としてもよい。
【０１０８】
具体的な例としては、図１０に示すように、基部１４ａの形状を、化粧カバー４の後端から前方へとＳ字状に延びる形状としてもよい。
【０１０９】
また、図１１に示すように、基部１４ａの形状を、Ｓ字状に延びる形状を左右に２つ組み合わせた形状とするなどしてもよい。
【０１１０】
尚、どちらの場合も、爪部１４ｂの位置は変えずに、基部１４ａの形状を直線状から曲線状に変えることで、基部１４ａの根元部分から先端までの距離を長くするようになっている。
【０１１１】
このようにすると、基部１４ａが直線状である場合と比して、より少ない力で爪部１４ｂを下方に押し下げることができるようになる。
【０１１２】
尚、基部１４ａの形状や大きさについては、上述した例に限らず、さらに別の形状や大きさとしてもよい。例えば、直線状の基部１４ａの中央部分を切り抜いた形状にするなどしてもよい。
【０１１３】
［４−２．他の実施の形態２］
また、上述した実施の形態では、カード保持部１４の爪部上面１８の左右両端に、凸部１９を形成するようにして、この凸部１９により、挿入されているＣＦカード６の後端面を押さえ付けて保持するようにした。
【０１１４】
これに限らず、例えば、図１２に示すように、左右両端の凸部１９をなくして、代わりに、爪部上面１８が凸部上面と同じ高さとなるように、爪部１４ｂの上端部を上方に延ばすようにしてもよい。
【０１１５】
この場合、爪部１４ｂの上端部が、挿入されているＣＦカード６の後端面を押さえ付けて保持することになる。
【０１１６】
また、この場合も、爪部上面１８については、凸部上面と同様に傾斜していることが望ましい。
【０１１７】
ところで、このように爪部１４ｂの上端部で、ＣＦカード６の後端面を押さえ付けて保持するようにすると、ＣＦカード６の後端の大部分が爪部１４ｂの上端部により隠れてしまい、カード挿入口５から露出する部分が少なくなる。
【０１１８】
このように、露出する部分が少なくなると、ユーザにとっては、ビデオレコーダ１にＣＦカード６が挿入されているのかどうか分かり難くなる。
【０１１９】
そこで、例えば、化粧カバー４の素材を半透明の素材にするなどして、ＣＦカード６が挿入されているかどうかを一段と分かり易くするなどしてもよい。
【０１２０】
またこれに限らず、爪部１４ｂの爪部上面１８を円弧状に切り欠くなどして、この切り欠かいた部分から、ＣＦカード６の後端が露出するようにしてもよい。
【０１２１】
［４−３．他の実施の形態３］
さらに、上述した実施の形態では、化粧カバー４の前面に、開閉自在の開閉扉１０を設けるようにしたが、この開閉扉１０を省略するようにしてもよい。
【０１２２】
またこれに限らず、開閉扉１０はそのまま残して、例えば、図１３に示すように、開閉扉１０を閉じたときに、カード挿入口５から露出しているＣＦカード６の後端を押さえ付けて保持するカード保持部３０を開閉扉１０の内側に設けるようにしてもよい。
【０１２３】
このカード保持部３０は、例えば、略円柱形状でなり、開閉扉１０を閉じたときにカード挿入口５と対向する位置に、後方に凸するようにして設けられている。
【０１２４】
このカード保持部３０は、開閉扉１０を閉じたときに、カード挿入口５から露出しているＣＦカード６の後端に当接する長さとなっていて、ＣＦカード６の後端に当接して押さえ付けることで、カード保持部１４と共に、ＣＦカード６を保持するようになっている。
【０１２５】
このようなカード保持部３０を追加すれば、開閉扉１０を閉じたときに、ビデオレコーダ１に挿入されているＣＦカード６をより確実に保持できるようになる。
【０１２６】
さらにこれに限らず、例えば、図１４に示すように、ＣＦカード６が挿入されている状態で開閉扉１０を閉じたときに、ＣＦカード６の後端を押さえ付けている爪部１４ｂが下方に下がらないようにするため、すなわちＣＦカード６の固定が解除されないようにするためのストッパ３１を、開閉扉１０の内側に設けるようにしてもよい。
【０１２７】
このストッパ３１は、爪部１４ｂの下端に設けられた突起部２０と、下部１３に形成された切り欠き２１の底面部２１ｂとの隙間に入る程度の板状でなり、開閉扉１０を閉じたときに、この隙間と対向する位置に後方に凸するようにして設けられている。
【０１２８】
このストッパ３１は、開閉扉１０を閉じたときに、爪部１４ｂの下端に設けられた突起部２０と、下部１３に形成された切り欠き２１の底面部２１ｂとの隙間に入る長さとなっていて、この隙間に入ることで、爪部１４ｂを固定して、ＣＦカード６の固定が意図せずに解除されてしまうことを防ぐようになっている。
【０１２９】
このようなストッパ３１を追加すれば、開閉扉１０を閉じたときに、より確実に、ビデオレコーダ１に挿入されているＣＦカード６を保持できるようになる。
【０１３０】
［４−４．他の実施の形態４］
さらに、上述した実施の形態では、カード保持部１４の基部１４ａと、基部１４ａの奥に位置する基板９とを、平行で且つ同じ高さとした。
【０１３１】
これにより、カード挿入口５から挿入されたＣＦカード６が、カード保持部１４の基部１４ａに沿って、基板９上のコネクタ８へと挿入されるようになっている。
【０１３２】
ここで、カード挿入口５から挿入されたＣＦカード６が、カード保持部１４の基部１４ａに沿って、基板９上のコネクタ８へとスムーズに挿入されるためには、基部１４ａと基板９の高さを、精度よく揃えることが望ましい。
【０１３３】
この場合、基部１４ａについては、化粧カバー４の一部として一体成形される部品であるから、基板９の高さを、基部１４ａの高さに揃える方が現実的である。
【０１３４】
そこで、例えば、図１５に示すように、本体部２内に、基板９を支持する支持部３２を設けるようにする。この支持部３２は、本体部２内の底面に固定されていて、その上端が基板９の下面に当接することで、基板９を下側から支持するようになっている。
【０１３５】
この支持部３２は、例えば、高精度に成形可能な材料を用いて、あらかじめ基板９の高さとして設定されている長さとなるように成形されている。尚、ここでは、支持部３２として成形品を用いるようにしたが、これに限らず、切削加工された加工品など、成形品以外の部品を用いるようにしてもよい。
【０１３６】
このような支持部３２で基板９を下側から支持するようにすれば、基板９の高さを高精度に、基部１４ａの高さに合わせることができる。
【０１３７】
尚、この場合、基板９の下面のうち、より平坦な部分に、支持部３２の上端が当接するようにすればよい。また、これに限らず、基板９の下面に平坦な部分を形成して、この部分に、支持部３２の上端が当接するようにしてもよい。
【０１３８】
［４−５．他の実施の形態５］
さらに上述した実施の形態では、基板９の上にコネクタ８を固定するようにしたが、これに限らず、基板９の下にコネクタ８を固定するようにしてもよい。
【０１３９】
この場合、化粧カバー４の上部下端部１２ｃの高さを、基板９の高さに揃えるようにすればよい。
【０１４０】
［４−６．他の実施の形態６］
さらに上述した実施の形態では、上部１２と、下部１３と、これらの間に位置するカード保持部１４と、左右の側面部１５とでなる化粧カバー４を、本体部２の前面に取り付けるようにした。
【０１４１】
ここで、この化粧カバー４の上下を逆さまにした化粧カバー（図示せず）を、本体部２の前面に取り付けるようにしてもよい。
【０１４２】
この化粧カバーの場合、カード保持部１４の爪部１４ｂが、カード挿入口５の上側に位置することになり、爪部１４ｂを上方に押し上げる方向に力がくわえられると、基部１４ａが変形して、爪部１４ｂを上方に押し上げることができるようになっている。
【０１４３】
またこれに限らず、カード挿入口５の上側と下側のどちらか一方でなく、両側にカード保持部１４を設けるようにしてもよい。
【０１４４】
［４−７．他の実施の形態７］
さらに、上述した実施の形態では、本体部２の前面に化粧カバー４を設け、この化粧カバー４のカード保持部１４により、カード挿入口５に挿入されたＣＦカード６を固定して保持するようにした。
【０１４５】
これに限らず、化粧カバー４とは別の手段で、ＣＦカード６を固定して保持することもできる。
【０１４６】
例えば、図１６に示すビデオレコーダ１００は、本体部１０１の前側にカード挿入口１０２が設けられ、このカード挿入口１０２の奥に、収納部１０３が設けられ、この収納部１０３の一番奥に、基板１０４上に固定されたコネクタ１０５が設けられている。
【０１４７】
さらに、本体部１０１の前側には、カード挿入口１０２を覆う閉状態から、カード挿入口１０２を露出させる開状態へ、またはその逆へと開閉自在な断面Ｌ字型の開閉扉１０６が、シャフト１０７を介して設けられている。
【０１４８】
尚、この開閉扉１０６は、閉じたときに、カード挿入口１０２との間に所定の隙間が空くようにして設けられている。
【０１４９】
このビデオレコーダ１００の場合、収納部１０３の前後方向の長さがＣＦカード６の前後方向の長さより短く、ＣＦカード６がコネクタ１０５に接続されて、挿入が完了していても、ＣＦカード６の後部がカード挿入口１０２から前方にはみ出るようになっている。
【０１５０】
そして、このビデオレコーダ１００では、板状の金属を曲げ加工して形成された固定具１０８により、カード挿入口１０２に挿入されたＣＦカード６を固定して保持するようになっている。
【０１５１】
この固定具１０８は、水平な板状の金属の一端側を下方に折り曲げ、他端側を上方に折り曲げた形状となっている。
【０１５２】
このビデオレコーダ１００では、ＣＦカード６が挿入された後、固定具１０８の一端側を、カード挿入口１０２の下方にネジ１０９で固定すると、固定具１０８の他端側が、カード挿入口１０２からはみ出ているＣＦカード６の後端に当接して押さえ付けることで、ＣＦカード６を固定するようになっている。
【０１５３】
そしてこのビデオレコーダ１００では、この固定具１０８を取り外すことで、ＣＦカード６の固定が解除され、ＣＦカード６を抜き取ることができるようになっている。
【０１５４】
また、図１７に示すビデオレコーダ２００では、上述の固定具１０８の代わりに、板バネ状の固定具２０１により、カード挿入口１０２に挿入されたＣＦカード６を保持するようになっている。
【０１５５】
この固定具２０１は、水平な薄板状の金属の一端側を下方に折り曲げ、他端側を上方に折り曲げ、さらに上方に折り曲げた他端側の先端部分を、先端が折り曲げ位置より下になるよう外側に折り曲げた形状となっている。
【０１５６】
この固定具２０１は、あらかじめ、その一端側が、カード挿入口１０２の下方にネジ１０９で固定されていて、他端側の上方に折り曲げられた部分が、カード挿入口１０２からはみ出ているＣＦカード６の後端に当接するようになっている。
【０１５７】
またこの固定具２０１は、上述したように板バネ状であり、下方に押し下げる力がくわえられると、図１８に示すように、変形して他端側が下方に押し下げられることで、ＣＦカード６の固定を解除できるようになっている。
【０１５８】
つまりこのビデオレコーダ２００では、固定具２０１の他端側を指で下方に押し下げた状態で、ＣＦカード６を挿入した後、この指を固定具２０１から離すと、固定具２０１が元の形状に戻り、他端側の上方に折り曲げられた部分が、カード挿入口１０２からはみ出ているＣＦカード６の後端に当接して押さえ付けることで、ＣＦカード６を固定して保持するようになっている。
【０１５９】
そしてこのビデオレコーダ２００では、固定具２０１の他端側を指で下方に押し下げることで、ＣＦカード６の固定が解除され、ＣＦカード６を抜き取ることができるようになっている。
【０１６０】
さらに図１９に示すビデオレコーダ３００では、固定具１０８や２０１をなくして、代わりに、開閉扉１０６の内側に設けられたカード保持部３０１により、カード挿入口１０２に挿入されたＣＦカード６を固定して保持するようになっている。
【０１６１】
このカード保持部３０１は、例えば、略円柱形状でゴムなどの弾性素材で成形されていて、開閉扉１０６を閉じたときにカード挿入口１０２と対向する位置に、後方に凸するようにして設けられている。
【０１６２】
このカード保持部３０１は、開閉扉１０６を閉じたときに、カード挿入口１０２からはみ出ているＣＦカード６の後端に当接する長さとなっていて、ＣＦカード６の後端に当接して押さえ付けることで、挿入が完了しているＣＦカード６を保持するようになっている。
【０１６３】
そしてこのビデオレコーダ３００では、開閉扉１０６を開くことで、ＣＦカード６の固定が解除され、ＣＦカード６を抜き取ることができるようになっている。
【０１６４】
［４−８．他の実施の形態８］
さらに上述した実施の形態では、化粧カバー４の上部１２の上部傾斜部１２ｂと、カード保持部１４の爪部１４ｂに窪み１６及び１７を設けるようにしたが、これに限らず、この窪み１６及び１７については省略してもよいし、どちらか一方のみを設けるようにしてもよい。
【０１６５】
［４−９．他の実施の形態９］
さらに上述した実施の形態では、カード保持部１４の爪部１４ｂの下端に突起部２０を２個設け、爪部１４ｂが下方に押し下げられたときに、この突起部２０が、下部１３の底面部２１ｂに当接することで、それ以上、爪部１４ｂが下方に押し下げられないようにした。
【０１６６】
これに限らず、爪部１４ｂの下端に突起部２０を設けず、爪部１４ｂの下端が直接、下部１３の底面部２１ｂに当接することで、それ以上、爪部１４ｂが下方に押し下げられないようにしてもよい。
【０１６７】
また、突起部２０を設ける場合については、左右２個に限らず、中央に１個でもよいし、さらに３個以上設けるようにしてもよい。
【０１６８】
［４−１０．他の実施の形態１０］
さらに上述した実施の形態では、ＣＦカード６を抜き取る場合、ＣＦカード６をユーザが指でつまもうとすると、この指でカード保持部１４の爪部１４ｂが自然に下方に押し下げられてＣＦカード６の固定が解除され、その後、このＣＦカード６をつまんで抜き取るようになっていた。
【０１６９】
ここで、例えば、コネクタ８の内部に、ＣＦカード６をカード挿入口５側に付勢するスプリングなどの付勢部材を設けるようにしてもよい。
【０１７０】
そしてこの付勢部材により、例えば、爪部１４ｂが下方に押し下げられてＣＦカード６の固定が解除されたときに、ＣＦカード６の後端側が指で十分つまめる程度にカード挿入口５から飛び出てくるようにする。
【０１７１】
このようにすれば、ＣＦカード６を抜き取る場合に、ＣＦカード６の固定が解除されると、ＣＦカード６の後端側がカード挿入口５から飛び出てくることになるので、飛び出てきた部分をつまんで、容易にＣＦカード６を抜き取ることができるようになる。
【０１７２】
［４−１１．他の実施の形態１１］
さらに上述した実施の形態では、ＣＦカード６に映像データを保存したり、ＣＦカード６に保存された映像データを読み出して外部に転送するビデオレコーダ１に本発明を適用するようにした。
【０１７３】
これに限らず、ＣＦカードをカード挿入口から挿入して収納部に収納するような機構を有する装置であれば、ビデオレコーダ１以外の装置に本発明を適用してもよい。
【０１７４】
具体的には、例えば、ＣＦカードを記憶媒体として利用するデジタルカメラ、ノート型パーソナルコンピュータなどにも適用できる。
【０１７５】
さらに、上述の実施の形態では、ＣＦカードを扱うビデオレコーダ１に本発明を適用するようにしたが、ＣＦカードに限らず、カード型媒体を扱う装置であれば、ビデオレコーダ１以外の装置に本発明を適用してもよい。
【０１７６】
具体的な例としては、ＣＦカード以外のメモリカードを扱うビデオレコーダ、ＣＦカード以外のメモリカードを扱うリーダ／ライタ装置などにも適用できる。
【０１７７】
またメモリカードに限らず、キャッシュカードやＩＣカードなど、コネクタを必要とせず、通信などによりこれらのカードからデータを読み出すリーダ装置でも、これらのカードをカード挿入口から挿入して収納部に収納するような機構を有する装置であれば適用できる。
【０１７８】
さらに上述の実施の形態では、ＣＦカードの挿入が完了した状態でも、ＣＦカードの一部（後端部）が外部に露出する、所謂ディップ式の挿入機構について述べたが、このようなディップ式の挿入機構については、ＡＴＭに設けられたキャッシュカードのリーダ／ライタ部などでよく利用されている。
【０１７９】
ゆえに、本発明を、このようなＡＴＭに設けられたキャッシュカードのリーダ／ライタ部に適用してもよい。
【０１８０】
［４−１２．他の実施の形態１２］
さらに、本発明は、上述した実施の形態に限定されるものではない。すなわち本発明は、上述した実施の形態（他の実施の形態１乃至１１を含む）の一部又は全部を任意に組み合わせた実施の形態や、一部を抽出した実施の形態にもその適用範囲が及ぶものである。
【産業上の利用可能性】
【０１８１】
本発明は、例えば、カード型媒体のリーダ／ライタ措置で利用することができる。
【符号の説明】
【０１８２】
１、１００、２００、３００、４００……ビデオレコーダ、２、１０１、４０１……本体部、４……化粧カバー、５、１０２、４０４……カード挿入口、６……ＣＦカード、７、１０３……収納部、８、１０５、４０５……コネクタ、９、１０４、４０６……基板、１０、１０６、４０７……開閉扉、１４、３０、３０１……カード保持部、１４ａ……基部、１４ｂ……爪部、１６、１７……窪み、１９……凸部、２０……突起部、３１……ストッパー。
【図１】
2014059740.tif 000003
【図２】
2014059740.tif 000004
【図３】
2014059740.tif 000005
【図４】
2014059740.tif 000006
【図５】
2014059740.tif 000007
【図６】
2014059740.tif 000008
【図７】
2014059740.tif 000009
【図８】
2014059740.tif 000010
【図９】
2014059740.tif 000011
【図１０】
2014059740.tif 000012
【図１１】
2014059740.tif 000013
【図１２】
2014059740.tif 000014
【図１３】
2014059740.tif 000015
【図１４】
2014059740.tif 000016
【図１５】
2014059740.tif 000017
【図１６】
2014059740.tif 000018
【図１７】
2014059740.tif 000019
【図１８】
2014059740.tif 000020
【図１９】
2014059740.tif 000021
【図２０】
2014059740.tif 000022
【図２１】
2014059740.tif 000023